(57)【要約】      （修正有）【課題】停電時でも高輝度の照明を行う蓄光材料を塗布したＬＥＤ充電電球を提供する。【解決手段】ＬＥＤ充電電球は、白熱電球と同程度の大きさで釣鐘形状のケース本体１と、該ケース本体１の収縮部７に内蔵された充電電池と、前記ケース本体１の釣鐘形状の開口内部に設けた多数のＬＥＤと、前記ケース本体１の後端に白熱電球ソケットに適合した大きさの口金３と、前記ケース本体１の前端を覆う透明樹脂製の照明カバー４と、前記ケース本体１胴部の中央に設けたスライド式の手動スイッチ５と、該手動スイッチ５の近傍に設けた表示灯６とから構成される。【選択図】図４
2012234753.tif 000002
【特許請求の範囲】
【請求項１】
白熱電球と同程度の大きさで釣鐘形状のケース本体と、該ケース本体の伸縮部に内蔵された充電電池と、前記ケース本体の釣鐘形状の開口内部に設けた多数のＬＥＤと、前記ケース本体の後端に白熱電球ソケットに適合した大きさの口金と、前記ケース本体の前端を覆う透明樹脂製の照明カバーと、前記ケース本体胴部の中央に設けたスライド式の手動スイッチと、該手動スイッチの近傍に設けた表示灯とから構成されることを特徴とするＬＥＤ充電電球。
【請求項２】
前記ケース本体は、ポリカネート樹脂素材で白熱電球と同程度の大きさで釣鐘形状をなし、前記ケース本体の中央部に内蔵される円筒状の伸縮部を備えており、懐中電灯として使用する時に前記伸縮部を引き出して使用し、据付型の照明器具として使用する場合は伸縮部を収納させて使用することを特徴とするＬＥＤ充電電球。
【請求項３】
前記照明カバーは、透明樹脂から形成され、前記照明カバーの内面又は外面にスクリーン印刷等により蓄光性インキ塗料が塗布され、前記ケース本体の釣鐘形状の開口部を塞ぐことを特徴とするＬＥＤ充電電球。
【発明の詳細な説明】
【技術分野】
【０００１】
本発明は、停電時でも高輝度の照明を行う蓄光性インキ塗料を塗布したＬＥＤ充電電球に関するものである。
【背景技術】
【０００２】
従来、白熱電球に代わって蛍光灯が主流となっていたが、近年、ＬＥＤ電球が開発されて家庭でも利用されている。
ＬＥＤ電球は、消費電力が少なく且つ長寿命であることから省エネ効果が大であり、今後も使用量が増大することが予想される。
また、地震、台風、雷などの自然災害による大停電も発生することが考えられることから、夜間の停電に対処した照明器具の開発も望まれている。
【０００３】
常時は白熱ランプと同様に天井等に設置したソケットに取り付けて据付型の照明用ランプとして機能し、停電時には充電・切替回路によって電源が内蔵の非常用電源に切り替わり、ＬＥＤが発光した点灯状態が維持されて非常灯として機能させることができ、取り外すと懐中電灯として用いることができるＬＥＤランプが知られている（特許文献１を参照）。
この公知技術は、把持用のランプケースと、該ランプケースの後端に取り付けられている交流電源接続用の口金部と、前記ランプケースの前端に取り付けられているランプカバーと、該ランプカバーによって覆われているＬＥＤと、前記ランプケースに内蔵されているＬＥＤ点灯用の非常用電源と、前記口金部を介して供給される交流電源を直流電流に変換して前記ＬＥＤに供給するＡＣ／ＤＣコンバータと、前記非常用電源から前記ＬＥＤへの電力供給をオンオフするために操作される手動操作スイッチとを有しているＬＥＤランプである。
【０００４】
また、緊急避難の誘導や非常時の照明を行う蓄光材料による蛍光灯用カバーが知られている（特許文献２を参照）。
この公知技術は、長尺な蛍光灯を覆う断面形状に形成されており、蛍光灯を外側からカバーリングすることにより蛍光灯を長さ方向に沿って覆う透明樹脂からなるカバー本体と、透明樹脂シートの少なくとも片面に蓄光性インキが塗布されており、前記カバー本体の内側にはめ込まれる蓄光照明具とを備える蛍光灯用カバーである。
【先行技術文献】
【特許文献】
【０００５】
【特許文献１】特開２０１０−７３３３４号公報
【特許文献２】特開２００８−９８０１６号公報
【発明の概要】
【発明が解決しようとする課題】
【０００６】
本発明は、停電時でも高輝度の照明を行う蓄光性インキ塗料を塗布したＬＥＤ充電電球を提供することを目的とする。
【課題を解決するための手段】
【０００７】
本発明のＬＥＤ充電電球は、白熱電球と同程度の大きさで釣鐘形状のケース本体と、該ケース本体の伸縮部に内蔵された充電電池と、前記ケース本体の釣鐘形状の開口内部に設けた多数のＬＥＤと、前記ケース本体の後端に白熱電球ソケットに適合した大きさの口金と、前記ケース本体の前端を覆う透明樹脂製の照明カバーと、前記ケース本体胴部の中央に設けたスライド式の手動スイッチと、該手動スイッチの近傍に設けた表示灯とから構成される。
前記ケース本体は、ポリカネート樹脂素材で白熱電球と同程度の大きさで釣鐘形状をなし、前記ケース本体の中央部に内蔵される円筒状の伸縮部を備えており、懐中電灯として使用する時に前記伸縮部を引き出して使用し、据付型の照明器具として使用する場合は伸縮部を収納させて電球として使用する。
前記照明カバーは、透明樹脂から形成され、前記照明カバーの内面又は外面にスクリーン印刷等により蓄光性インキ塗料が塗布され、前記ケース本体の釣鐘形状の開口部を塞ぐ。
【発明の効果】
【０００８】
本発明のＬＥＤ充電電球は、白熱電球と同程度の大きさで釣鐘形状のケース本体と、該ケース本体の伸縮部に内蔵された充電電池と、前記ケース本体の釣鐘形状の開口内部に設けた多数のＬＥＤと、前記ケース本体の後端に白熱電球ソケットに適合した大きさの口金と、前記ケース本体の前端を覆う透明樹脂製の照明カバーと、前記ケース本体胴部の中央に設けたスライド式の手動スイッチと、該手動スイッチの近傍に設けた表示灯とから構成されるため、停電時には照明カバーの蓄光性インキ塗料により非常灯として機能させることができ、取り外すと懐中電灯として用いることができる。
【図面の簡単な説明】
【０００９】
【図１】本発明のＬＥＤ充電電球の側面図である。
【図２】本発明のＬＥＤ充電電球の正面図である。
【図３】本発明のＬＥＤ充電電球の照明カバーを取り外した状態の正面図である。
【図４】本発明のＬＥＤ充電電球のケース本体の伸縮部を伸ばした状態の側面図である。
【発明を実施するための形態】
【００１０】
本発明のＬＥＤ充電電球の一実施例を添付図面に基づいて、以下に説明する。
図１の側面図に示すように、本発明のＬＥＤ充電電球は、白熱電球と同程度の大きさで釣鐘形状のケース本体１と、該ケース本体１の伸縮部７（図４に示す）に内蔵された充電電池（図示せず）と、前記ケース本体１の釣鐘形状の開口内部に設けた多数のＬＥＤ２（図３に示す）と、前記ケース本体１の後端に白熱電球ソケットに適合した大きさの口金３と、前記ケース本体１の前端を覆う透明樹脂製の照明カバー４と、前記ケース本体１の中央に設けたスライド式の手動スイッチ５と、該手動スイッチ５の近傍に設けた表示灯６とから構成される。
【００１１】
前記ケース本体１は、ポリカネート樹脂素材で白熱電球と同程度の大きさで釣鐘形状をなし、前記ケース本体１の中央部に図４の側面図に示すような内部に充電電池（図示せず）を収納した円筒状の伸縮部７を備えており、懐中電灯として使用する場合に前記伸縮部７を引き出して使用し、据付型の照明器具として使用する場合は前記伸縮部７を収縮させた図１に示すような状態の電球として使用する。
前記充電電池（図示せず）は、リチウムイオン電池を使用し、家庭用交流電源ソケットにＬＥＤ充電電球を接続した場合に充電されるようになっている。
前記ＬＥＤ２は、白色系／昼色系を使用し、図３の正面図に示すように同心円状に多数個を直列／並列接続で並べる。
前記口金３は、金属製で白熱電球ソケットに適合した大きさに形成され、家庭用の規格統一された家庭用交流電源ソケットに装着することができる。
【００１２】
前記照明カバー４は、透明樹脂から形成され、図２の正面図に示すように前記照明カバー４の内面又は外面にスクリーン印刷等により蓄光性インキ塗料（図面上黒色となっているが、実際には半透明塗料）が塗布され、前記ケース本体１の釣鐘形状の開口部を塞ぐ。
前記手動スイッチ５は、前記ケース本体１胴部の中央に設けられ、スライド式にＡＣ、ＯＦＦ、ＤＣを切り替えることができるようになっている。なお、ＡＣは交流電源により室内照明として使用する場合、ＤＣは直流電源により懐中電灯として使用する場合に切り替える。
前記表示灯６は、丸窓により充電電池のリチウムイオン電池の充電状態を表示し、充電中は赤点灯、フル充電は緑点灯を行う。
【００１３】
次に、本発明のＬＥＤ充電電球の操作動作を添付図面に基づいて、以下に説明する。
本発明のＬＥＤ充電電球の通常の使用状態は、図１に示す白熱電球と同形状で使用し、家庭用交流電源ソケットに口金をねじ込むことにより取付けが行われ、その際、手動スイッチ５をＡＣ側にスライドさせ、電灯として室内の照明を行うと共に内蔵された充電電池（図示せず）に充電を行う。表示灯６は充電状態を示す場合は赤点灯、フル充電では緑点灯される。
停電時には、照明カバー４に塗布された蓄光性インキ塗料により非常灯として照明が行われる。
そして、口金３を家庭用交流電源ソケットから外して、さらにケース本体１の伸縮部７を伸ばし、手動スイッチ５をＤＣ側に切り換えて懐中電灯として使用する。
なお、懐中電灯として使用中に充電電池（図示せず）が消耗した場合でも照明カバー４に塗布された蓄光性インキ塗料（図２の黒色部分）により非常灯としての照明が行われる。
【符号の説明】
【００１４】
１  ケース本体
２  ＬＥＤ
３  口金
４  照明カバー
５  手動スイッチ
６  表示灯
７  伸縮部
【図１】
2012234753.tif 000003
【図２】
2012234753.tif 000004
【図３】
2012234753.tif 000005
【図４】
2012234753.tif 000006